(57)【要約】【解決手段】直交周波数分割多重接続（ＯＦＤＭＡ）システムにおけるダイバーシティ合成の方法に基づいて、受信されたＯＦＤＭＡ信号に関して、反復ダイバーシティ等化及び合成が実行され得る。加えて、前記受信されたＯＦＤＭＡ信号に関して、受信器アンテナ・ダイバーシティ等化及び合成が実行され得る。最大比合成（ＭＲＣ）スキームによって、前記反復ダイバーシティ等化及び合成と、前記受信器アンテナ・ダイバーシティ等化及び合成と、が実行され得る。【選択図】図５Ａ
2011514754.tif 000002
【特許請求の範囲】
【請求項１】
受信されたＯＦＤＭＡ信号に関して、反復ダイバーシティ等化及び合成（repetition diversity equalization and combining）を実行することと、
前記受信されたＯＦＤＭＡ信号に関して、受信器アンテナ・ダイバーシティ等化及び合成（receiver antenna diversity equalization and combining）を実行することと
を備え、
最大比合成（ＭＲＣ）スキームによって、前記反復ダイバーシティ等化及び合成と、前記受信器アンテナ・ダイバーシティ等化及び合成と、は実行される
直交周波数分割多重接続（ＯＦＤＭＡ）システムにおけるダイバーシティ合成の方法。
【請求項２】
前記反復ダイバーシティ等化及び合成は、前記受信されたＯＦＤＭＡ信号の中で繰り返される信号を等化すること及び合成することを備える請求項１の方法。
【請求項３】
前記受信器アンテナ・ダイバーシティ等化及び合成は、前記受信されたＯＦＤＭＡ信号の、異なる受信器アンテナに対応する部分を等化すること及び合成することを備える請求項１の方法。
【請求項４】
チャネル推定を実行することを更に備え、
前記反復ダイバーシティ等化及び合成と、前記受信器アンテナ・ダイバーシティ等化及び合成のための前記ＭＲＣスキームは、前記チャネル推定から得られるチャネル推定情報に基づく請求項１の方法。
【請求項５】
チャネルステータス情報（ＣＳＩ）推定の目的で、チャネル推定に関して、反復ダイバーシティ合成及び受信器アンテナ・ダイバーシティ合成を実行することを更に備える請求項１の方法。
【請求項６】
ＣＳＩ推定について前記反復ダイバーシティ合成することは、受信されたＯＦＤＭＡ信号内の繰り返される信号に対応するチャネル推定の部分を合成することを含む請求項５の方法。
【請求項７】
ＣＳＩ推定について前記受信器アンテナ・ダイバーシティ合成することは、受信された異なる受信器アンテナに対応するチャネル推定の部分を合成することを含む請求項５の方法。
【請求項８】
前記反復ダイバーシティ等化及び合成と、前記受信器アンテナ・ダイバーシティ等化及び合成は、
【数１】
2011514754.tif 000008
として実行され、Ｒｓ（）は前記受信されたＯＦＤＭＡ信号を示し、Ｈｓ（）はチャネル推定を示し、ｃは、通信チャネルインデックスであり、ｚは反復符号化に先立ったスロットのインデックスであり、ｓは反復符号化の後のスロットのインデックスであり、ｋは、サブキャリアのインデックスである請求項１の方法。
【請求項９】
ＣＳＩ推定についての前記反復ダイバーシティ合成及び前記受信器アンテナ・ダイバーシティ合成は、
【数２】
2011514754.tif 000009
として実行され、Ｈｐ（）はチャネル推定を示し、ｉはＯＦＤＭＡシンボルインデックスであり、ｃは通信チャネルインデックスであり、ｎは高速フーリエ変換インデックスであり、Ｎｃは受信器アンテナの数を示す請求項５の方法。
【請求項１０】
受信されたＯＦＤＭＡ信号に関して、反復ダイバーシティ等化及び合成を実行するように構成された、反復ダイバーシティ・イコライザ及び合成器と、
前記受信されたＯＦＤＭＡ信号に関して、受信器アンテナ・ダイバーシティ等化及び合成を実行するように構成された、受信器アンテナ・ダイバーシティ・イコライザ及び合成器と、
を備え、
前記反復ダイバーシティ・イコライザ及び合成器と、受信器アンテナ・ダイバーシティ・イコライザ及び合成器とは、最大比合成（ＭＲＣ）スキームに基づいて実行される
直交周波数分割多重接続（ＯＦＤＭＡ）システムにおけるダイバーシティ合成のためのワイヤレスデバイス。
【請求項１１】
前記反復ダイバーシティ等化及び合成は、前記受信されたＯＦＤＭＡ信号の中で繰り返される信号を等化すること及び合成することを備える請求項１０のワイヤレスデバイス。
【請求項１２】
前記受信器アンテナ・ダイバーシティ等化及び合成は、前記受信されたＯＦＤＭＡ信号の、異なる受信器アンテナに対応する部分を等化すること及び合成することを備える請求項１０のワイヤレスデバイス。
【請求項１３】
チャネル推定を実行するように構成されたチャネルエスティメータを更に備え、
前記反復ダイバーシティ等化及び合成と、前記受信器アンテナ・ダイバーシティ等化及び合成のための前記ＭＲＣスキームは、前記チャネル推定から得られるチャネル推定情報に基づく請求項１０のワイヤレスデバイス。
【請求項１４】
チャネルステータス情報（ＣＳＩ）推定の目的で、チャネル推定に関して、反復ダイバーシティ合成及び受信器アンテナ・ダイバーシティ合成を実行するように構成されたチャネルステータス情報（ＣＳＩ）エスティメータ及び合成器を更に備える請求項１０のワイヤレスデバイス。
【請求項１５】
ＣＳＩ推定について前記反復ダイバーシティ合成することは、受信されたＯＦＤＭＡ信号内の繰り返される信号に対応するチャネル推定の部分を合成することを含む請求項１４のワイヤレスデバイス。
【請求項１６】
ＣＳＩ推定について前記受信器アンテナ・ダイバーシティ合成することは、受信された異なる受信器アンテナに対応するチャネル推定の部分を合成することを含む請求項１４のワイヤレスデバイス。
【請求項１７】
前記反復ダイバーシティ等化及び合成と、前記受信器アンテナ・ダイバーシティ等化及び合成は、
【数３】
2011514754.tif 000010
として実行され、Ｒｓ（）は前記受信されたＯＦＤＭＡ信号を示し、Ｈｓ（）はチャネル推定を示し、ｃは、通信チャネルインデックスであり、ｚは反復符号化に先立ったスロットのインデックスであり、ｓは反復符号化の後のスロットのインデックスであり、ｋは、サブキャリアのインデックスである請求項１０のワイヤレスデバイス。
【請求項１８】
ＣＳＩ推定についての前記反復ダイバーシティ合成及び前記受信器アンテナ・ダイバーシティ合成は、
【数４】
2011514754.tif 000011
として実行され、Ｈｐ（）はチャネル推定を示し、ｉはＯＦＤＭＡシンボルインデックスであり、ｃは通信チャネルインデックスであり、ｎは高速フーリエ変換インデックスであり、Ｎｃは受信器アンテナの数を示す請求項１４のワイヤレスデバイス。
【請求項１９】
受信されたＯＦＤＭＡ信号に関して、反復ダイバーシティ等化及び合成を実行する手段と、
前記受信されたＯＦＤＭＡ信号に関して、受信器アンテナ・ダイバーシティ等化及び合成を実行する手段と
を備え、
最大比合成（ＭＲＣ）スキームによって、前記反復ダイバーシティ等化及び合成と、前記受信器アンテナ・ダイバーシティ等化及び合成と、は実行される
直交周波数分割多重接続（ＯＦＤＭＡ）システムにおけるダイバーシティ合成のための装置。
【請求項２０】
前記反復ダイバーシティ等化及び合成する手段は、前記受信されたＯＦＤＭＡ信号の中で繰り返される信号を等化及び合成する手段を備える請求項１９の装置。
【請求項２１】
前記受信器アンテナ・ダイバーシティ等化及び合成する手段は、前記受信されたＯＦＤＭＡ信号の、異なる受信器アンテナに対応する部分を等化及び合成する手段を備える請求項１９の装置。
【請求項２２】
チャネル推定を実行する手段を更に備え、
前記反復ダイバーシティ等化及び合成と、前記受信器アンテナ・ダイバーシティ等化及び合成のための前記ＭＲＣスキームは、前記チャネル推定から得られるチャネル推定情報に基づく請求項１９の装置。
【請求項２３】
チャネルステータス情報（ＣＳＩ）推定の目的で、チャネル推定に関して、反復ダイバーシティ合成及び受信器アンテナ・ダイバーシティ合成を実行する手段を更に備える請求項１９の装置。
【請求項２４】
ＣＳＩ推定について前記反復ダイバーシティ合成する手段は、受信されたＯＦＤＭＡ信号内の繰り返される信号に対応するチャネル推定の部分を合成する手段を含む請求項２３の装置。
【請求項２５】
ＣＳＩ推定について前記受信器アンテナ・ダイバーシティ合成する手段は、受信された異なる受信器アンテナに対応するチャネル推定の部分を合成する手段を含む請求項２３の装置。
【請求項２６】
前記反復ダイバーシティ等化及び合成と、前記受信器アンテナ・ダイバーシティ等化及び合成は、
【数５】
2011514754.tif 000012
として実行され、Ｒｓ（）は前記受信されたＯＦＤＭＡ信号を示し、Ｈｓ（）はチャネル推定を示し、ｃは、通信チャネルインデックスであり、ｚは反復符号化に先立ったスロットのインデックスであり、ｓは反復符号化の後のスロットのインデックスであり、ｋは、サブキャリアのインデックスである請求項１９の装置。
【請求項２７】
ＣＳＩ推定についての前記反復ダイバーシティ合成及び前記受信器アンテナ・ダイバーシティ合成は、
【数６】
2011514754.tif 000013
として実行され、Ｈｐ（）はチャネル推定を示し、ｉはＯＦＤＭＡシンボルインデックスであり、ｃは通信チャネルインデックスであり、ｎは高速フーリエ変換インデックスであり、Ｎｃは受信器アンテナの数を示す請求項２３の装置。
【請求項２８】
受信されたＯＦＤＭＡ信号に関して、反復ダイバーシティ等化及び合成を実行するコードと、
前記受信されたＯＦＤＭＡ信号に関して、受信器アンテナ・ダイバーシティ等化及び合成を実行するコードと
を備え、
最大比合成（ＭＲＣ）スキームによって、前記反復ダイバーシティ等化及び合成と、前記受信器アンテナ・ダイバーシティ等化及び合成と、は実行される
直交周波数分割多重接続（ＯＦＤＭＡ）システムにおけるダイバーシティ合成のためのコンピュータプログラム製品。
【請求項２９】
前記反復ダイバーシティ等化及び合成のためのコードは、前記受信されたＯＦＤＭＡ信号の中で繰り返される信号を等化及び合成するためのコードを備える請求項２８のコンピュータプログラム製品。
【請求項３０】
前記受信器アンテナ・ダイバーシティ等化及び合成するコードは、前記受信されたＯＦＤＭＡ信号の、異なる受信器アンテナに対応する部分を等化及び合成するコードを備える請求項２８のコンピュータプログラム製品。
【請求項３１】
チャネル推定を実行するコードを更に備え、
前記反復ダイバーシティ等化及び合成と、前記受信器アンテナ・ダイバーシティ等化及び合成のための前記ＭＲＣスキームは、前記チャネル推定から得られるチャネル推定情報に基づく請求項２８のコンピュータプログラム製品。
【請求項３２】
チャネルステータス情報（ＣＳＩ）推定の目的で、チャネル推定に関して、反復ダイバーシティ合成及び受信器アンテナ・ダイバーシティ合成を実行するコードを更に備える請求項２８のコンピュータプログラム製品。
【請求項３３】
ＣＳＩ推定について前記反復ダイバーシティ合成するコードは、受信されたＯＦＤＭＡ信号内の繰り返される信号に対応するチャネル推定の部分を合成するコードを含む請求項３２のコンピュータプログラム製品。
【請求項３４】
ＣＳＩ推定について前記受信器アンテナ・ダイバーシティ合成するコードは、受信された異なる受信器アンテナに対応するチャネル推定の部分を合成するコードを含む請求項３２のコンピュータプログラム製品。
【請求項３５】
前記反復ダイバーシティ等化及び合成と、前記受信器アンテナ・ダイバーシティ等化及び合成は、
【数７】
2011514754.tif 000014
として実行され、Ｒｓ（）は前記受信されたＯＦＤＭＡ信号を示し、Ｈｓ（）はチャネル推定を示し、ｃは、通信チャネルインデックスであり、ｚは反復符号化に先立ったスロットのインデックスであり、ｓは反復符号化の後のスロットのインデックスであり、ｋは、サブキャリアのインデックスである請求項２８のコンピュータプログラム製品。
【請求項３６】
ＣＳＩ推定についての前記反復ダイバーシティ合成及び前記受信器アンテナ・ダイバーシティ合成は、
【数８】
2011514754.tif 000015
として実行され、Ｈｐ（）はチャネル推定を示し、ｉはＯＦＤＭＡシンボルインデックスであり、ｃは通信チャネルインデックスであり、ｎは高速フーリエ変換インデックスであり、Ｎｃは受信器アンテナの数を示す請求項３２のコンピュータプログラム製品。
【発明の詳細な説明】
【技術分野】
【０００１】
本開示は、概してワイヤレス通信システムに関する。より具体的には、本開示は、直交周波数分割多重接続（ＯＦＤＭＡ）システムにおける繰り返される信号のダイバーシティ合成のための方法及び装置に関する。
【背景技術】
【０００２】
ワイヤレス通信デバイスは、消費者のニーズを満たし、携帯性及び利便性を改善するために、より小さく、よりパワフルになってきている。消費者は、携帯電話、携帯情報端末（ＰＤＡ）、ラップトップコンピュータ、等のようなワイヤレス通信デバイスに依存してきている。消費者は、信頼できるサービス、拡大された通信可能範囲、及び増加した機能性を期待するようになる。ワイヤレス通信デバイスは、移動局、局、アクセス端末、ユーザー端末、端末、加入者ユニット、ユーザー設備、等として、言及され得る。
【０００３】
ワイヤレス通信システムは、複数のワイヤレス通信デバイスの通信を同時にサポートし得る。ワイヤレス通信デバイスは、アップリンク及びダウンリンク上の伝送を介して、一つまたはそれ以上の基地局（代替的に、アクセスポイント、ノードＢ、等と言及され得る）と通信し得る。アップリンク（または逆方向リンク）は、ワイヤレス通信デバイスから基地局への通信リンクと言及し、ダウンリンク（または順方向リンク）は、基地局からワイヤレス通信デバイスへの通信リンクと言及する。
【０００４】
ワイヤレス通信システムは、利用可能なシステムリソース（例えば、帯域幅及び伝送パワー）を共有することで、複数のユーザーとの通信のサポートを可能な多重アクセスシステムであり得る。そのような多重アクセスシステムの例は、符号分割多重接続（ＣＤＭＡ）システム、時分割多重接続（ＴＤＭＡ）システム、周波数分割多重接続（ＦＤＭＡ）システム、及び、直交周波数分割多重接続（ＯＦＤＭＡ）システムを含む。
【０００５】
上述で示したように、本開示は概してワイヤレス通信システムに関する。より具体的には、本開示は、直交周波数分割多重接続（ＯＦＤＭＡ）システムにおける繰り返される信号のダイバーシティ合成のための方法及び装置に関する。
【発明の概要】
【０００６】
直交周波数分割多重接続（ＯＦＤＭＡ）システムにおけるダイバーシティ合成の方法が開示されている。方法は、受信されたＯＦＤＭＡ信号に関して、反復ダイバーシティ等化及び合成（repetition diversity equalization and combining）を実行することを含み得る。方法は、前記受信されたＯＦＤＭＡ信号に関して、受信器アンテナ・ダイバーシティ等化及び合成（receiver antenna diversity equalization and combining）を実行することを含み得る。最大比合成スキームによって、前記反復ダイバーシティ等化及び合成と、前記受信器アンテナ・ダイバーシティ等化及び合成と、は実行され得る。
【０００７】
ＯＦＤＭＡシステムにおけるダイバーシティ合成のためのワイヤレスデバイスが開示されている。ワイヤレスデバイスは、受信されたＯＦＤＭＡ信号に関して、反復ダイバーシティ等化及び合成を実行するように構成された、反復ダイバーシティ・イコライザ及び合成器を備え得る。ワイヤレスデバイスは、前記受信されたＯＦＤＭＡ信号に関して、受信器アンテナ・ダイバーシティ等化及び合成を実行するように構成された、受信器アンテナ・ダイバーシティ・イコライザ及び合成器を備え得る。前記反復ダイバーシティ・イコライザ及び合成器と、受信器アンテナ・ダイバーシティ・イコライザ及び合成器とは、最大比合成スキームに基づいて実行され得る。
【０００８】
ＯＦＤＭＡシステムにおけるダイバーシティ合成のための装置が開示されている。装置は、受信されたＯＦＤＭＡ信号に関して、反復ダイバーシティ等化及び合成を実行する手段を含み得る。装置は、前記受信されたＯＦＤＭＡ信号に関して、受信器アンテナ・ダイバーシティ等化及び合成を実行する手段を含み得る。最大比合成スキームによって、前記反復ダイバーシティ等化及び合成と、前記受信器アンテナ・ダイバーシティ等化及び合成と、は実行され得る。
【０００９】
ＯＦＤＭＡシステムにおけるダイバーシティ合成のためのコンピュータプログラム製品が開示されている。コンピュータプログラム製品は、受信されたＯＦＤＭＡ信号に関して、反復ダイバーシティ等化及び合成を実行するコードを含み得る。コンピュータプログラム製品は、前記受信されたＯＦＤＭＡ信号に関して、受信器アンテナ・ダイバーシティ等化及び合成を実行するコードを含み得る。最大比合成スキームによって、前記反復ダイバーシティ等化及び合成と、前記受信器アンテナ・ダイバーシティ等化及び合成と、は実行され得る。
【図面の簡単な説明】
【００１０】
【図１】図１は、ワイヤレス通信システムの例を示している。
【図２】図２は、ＯＦＤＭＡシステムにおける送信器の例を示している。
【図３】図３は、スロット反復符号化（slot repetition coding）のための方法の例を示している。
【図４Ａ】図４Ａは、ＯＦＤＭシステムにおいて、繰り返される信号のダイバーシティ合成のためのシステムを示している。
【図４Ｂ】図４Ｂは、ＯＦＤＭシステムにおいて、繰り返される信号のダイバーシティ合成のためのシステムを示している。
【図５Ａ】図５Ａは、反復ダイバーシティ等化（repetition diversity equalization）及び合成と、受信器アンテナ・ダイバーシティ等化（receiver antenna diversity equalization）及び合成はどのように実行され得るかを示している例を示している。
【図５Ｂ】図５Ｂは、反復ダイバーシティ等化（repetition diversity equalization）及び合成と、受信器アンテナ・ダイバーシティ等化（receiver antenna diversity equalization）及び合成はどのように実行され得るかを示している例を示している。
【図６】図６は、ＯＦＤＭＡシステムにおいて繰り返される信号のダイバーシティ合成のための方法を示している。
【図７】図７は、図６に示した方法に関連する手段に機能を加えたブロックを示している。
【図８】図８は、ワイヤレスデバイスにおいて、利用され得る種々の構成要素を示している。
【発明を実施するための形態】
【００１１】
図１は、ワイヤレス通信システム１００の例を示している。ワイヤレス通信システム１００はブロードバンドワイヤレス通信システム１００であり得る。ワイヤレス通信システム１００は、それぞれが基地局１０４によって提供される多くのセル１０２のための通信を提供する。基地局１０４は、ユーザー端末１０６と通信する固定された局であり得る。基地局１０４は、代替的に、アクセスポイント、ノードＢ、またはいくつかの他の専門用語として言及され得る。
【００１２】
図１は、システム１００の至る所に分散された種々のユーザー端末１０６を示している。ユーザー端末１０６は固定（すなわち、静止している）、またはモバイルであり得る。ユーザー端末１０６は、代替的に、遠隔局（remote station）、アクセス端末、端末、加入者ユニット、モバイル局、局、ユーザー設備、等として言及され得る。ユーザー端末１０６は、携帯電話、携帯情報端末（ＰＤＡ）、手持ちサイズのデバイス、ワイヤレスモデム、ラップトップコンピュータ、パーソナルコンピュータ等のようなワイヤレスデバイスであり得る。
【００１３】
基地局１０４からユーザー端末１０６への伝送を促進する通信リンクは、ダウンリンク１０８として言及され得る。そして、ユーザー端末１０６から基地局１０４への伝送を促進する通信リンクは、アップリンク１１０として言及され得る。代替的に、ダウンリンク１０８は、順方向リンクまたは順方向チャネルとして言及され、アップリンク１１０は、逆方向リンクまたは逆方向チャネルとして言及され得る。
【００１４】
セル１０２は、複数のセクタ１１２に分割され得る。セクタ１１２は、セル１０２内の物理的な通信可能範囲である。ワイヤレス通信システム１００内の基地局１０４は、セル１０２の特定のセクタ１１２内に電力の流れを集中させるアンテナを利用し得る。そのようなアンテナは、指向性アンテナとして言及され得る。
【００１５】
本開示の方法及び装置は、ブロードバンド通信システムにおいて利用され得る。「ブロードバンドワイヤレス」という用語は、与えられた領域上で、ワイヤレス、音声、インターネット、及び／またはデータネットワークアクセスを提供する技術として言及する。
【００１６】
Worldwide Interoperability for Microwave Accessの略語であるＷｉＭＡＸは、長距離にわたって高スループットのブロードバンド接続を提供するブロードバンドワイヤレス技術に基づく規格である。今日、固定ＷｉＭＡＸ（Fixed WiMAX）及びモバイルＷｉＭＡＸというＷｉＭＡＸの二つのメインアプリケーションがある。固定ＷｉＭＡＸアプリケーションは、家や仕事にブロードバンドのアクセスができるポイントツーマルチポイント（point-to-multipoint）である。モバイルＷｉＭＡＸは、ブロードバンドの速度において携帯電話のネットワークの完璧な移動性を提供する。
【００１７】
モバイルＷｉＭＡＸは、ＯＦＤＭ（直交周波数分割多重）及びＯＦＤＭＡ（直交周波数分割多重接続）技術に基づく。ＯＦＤＭは、最近、種々の高データレートの通信システムにおいて、広く導入できることがわかったデジタルマルチキャリア変調（digital multi-carrier modulation）技術である。ＯＦＤＭによって、送信ビットストリーム（transmit bit stream）は、複数の低レートのサブストリーム（sub-stream）に分割される。各サブストリームは、複数の直交サブキャリアの一つと変調され、複数の平行サブキャリアの一つ上に送られる。ＯＦＤＭＡは、ＯＦＤＭに基づいた多重アクセス技術である。ＯＦＤＭＡによって、ユーザーは、サブキャリアを異なるタイムスロットに割り当てられ得る。ＯＦＤＭＡは、広く変化するアプリケーション、データレート、及びサービス要求の質をユーザーに提供することができる適応性のある多重アクセス技術である。
【００１８】
ワイヤレスインターネット及び通信における急激な成長は、ワイヤレス通信サービスの分野において、高データレートに対する要求を増加させることを導く。ＯＦＤＭＡシステムは、今日、最も有望な研究分野の一つとして見なされ、また、ワイヤレス通信の次の世代のための鍵となる技術であると見なされている。これは、ＯＦＤＭ変調スキームが、従来のシングルキャリア変調スキーム以上の、強いマルチパス耐性（immunity）、変調の効率、スペクトルの効率、柔軟性等の多くの利点を提供できる事実に起因する。
【００１９】
ＩＥＥＥ８０２．１６は、固定及びモバイルワイヤレスアクセス（ＢＷＡ：broadband wireless access）のための無線インタフェースを定義する新たな規格団体である。ＩＥＥＥ ８０２．１６は、固定ＢＷＡシステムについては、２００４年５月に’１６ｄが認可され、モバイルＢＷＡシステムについては２００５年１０月に１６ｅが公開された。これらの二つの規格は、４つの異なる物理層（ＰＨＹ）及び一つのメディアアクセス制御（ＭＡＣ）層を、定義する。この４つの物理層のうち、ＯＦＤＭ物理層及びＯＦＤＭＡ物理層は、固定及びモバイルＢＷＡ分野のそれぞれにおいて最も一般的である。
【００２０】
図２は、ＯＦＤＭＡシステムの送信器２０２の例を示している。送信データＤｋ２１２が、マッパー（Mapper）２１４内に送りこまれることが示されている。マッパー２１４は、写像（mapping）及び変調(modulation)を実行し、写像／変調された信号Ｍｋ２１６を出力し得る。写像／変調された信号Ｍｋ２１６は、逆高速フーリエ変換(ＩＦＦＴ)構成要素２１８、ガード挿入構成要素（guard insertion component）２２０、無線周波数（ＲＦ）フロントエンド２２２、及びアンテナ２２４によって処理されることが示されている。結果として得られた信号２２６は、ワイヤレスチャネルｈ内に送信されることが示されている。
【００２１】
ＯＦＤＭＡシステムの物理層は、いくつかの機能的なステージ（functional stage）を含み得る。機能的なステージの第１のセットは、前方誤り訂正(ＦＥＣ)に関連し得る。機能的なステージの次のセットは、周波数領域におけるＯＦＤＭシンボルの構成に関連し得る。このステージの間、データは、適切なサブチャネル及びサブキャリア上に写像され得る。パイロットシンボルは、受信器にチャネルステータス情報（ＣＳＩ：channel status information）を見積もる及び追跡することを許可し得るパイロットサブキャリア内に挿入され得る。機能の最後のセットは、周波数領域から時間領域へ、最終的には、無線上に送信されることができるアナログ信号へのＯＦＤＭシンボルの変換に関連し得る。
【００２２】
上で示すように、機能的なステージの第１のセットは、前方誤り訂正(ＦＥＣ)に関連し得る。これは、チャネル符号化、インタリーブ、及びシンボル写像（変調）を含み得る。
【００２３】
チャネル符号化は、複数（整数）のサブチャネルを含み得る各ＦＥＣブロック上で実行され得る。サブチャネルは、ＯＦＤＭＡシステムの物理層におけるリソース割り当ての基本単位であり、いくつかのデータ及びパイロットサブキャリアを含み得る。サブチャネルにおける、データ及びパイロットサブキャリアの正確な数は、サブキャリア並べ換えスキーム（subcarrier permutation scheme）に依存し得る。ＦＥＣブロックにおけるサブチャネルの最大数は、チャネル符号化スキーム及び変調コンステレーション（modulation constellation）に依存され得る。
【００２４】
チャネル符号化の後、次のステップはインタリーブであり得る。符号化されたビットは、２ステップ処理を用いてインタリーブされ得る。第１のステップは、隣接しないサブキャリア上に、隣接する符号化ビットが写像されるのを確実にし、このことは、周波数ダイバーシティを提供し、その結果、デコーダの性能を改善しうる。第２のステップは、変調コンステレーションの有効ではないビット及び有効なビットに、隣接したビットが交互に写像されることを確実にする。インタリーブは、各ＦＥＣブロック上で独立して実行され得る。
【００２５】
シンボル写像ステージの間、２ビットのシーケンスは、変調コンステレーションに基づき、複素数シンボル（complex valued symbol）のシーケンスに変換され得る。使用され得る変調コンステレーションの例は、四位相偏移変調（ＱＰＳＫ）、１６直角位相振幅変調（ＱＡＭ）、６４ＱＡＭ等を含み得る。
【００２６】
「ダイバーシティ」という用語は、概して、所定の信号の相関性のない描出（rendition）を受信器に提供するのに有効な種々の方法について言及する。反復符号化は、ダイバーシティを得るために使用され得る。本明細書において、これは、「反復ダイバーシティ」として言及され得る。
【００２７】
反復符号化では、割り当てられたスロット（Ｎｓ）の数は、アップリンクのための複数の繰り返し係数（repetition factor）Ｒになり得る。ダウンリンクのでは、割り当てられたスロット（Ｎｓ）の数は、［Ｒ×Ｋ、Ｒ×Ｋ＋（Ｒ−１）］の範囲にありうる。Ｋは、反復スキームを適応する前に要求されたスロットの数である。例えば、Ｋ＝１０及びＲ＝６の繰り返し係数が適用された場合、割り当てられたスロットの数（ＮＳ）は、６０スロット〜６５スロットになり得る。
【００２８】
反復符号化された領域に適合するバイナリデータは、同じサイズ及びＦＥＣコードタイプの、（|_ＮＳ／Ｒ_|×Ｒ）個のスロットの繰り返されない領域（nonrepeated region）と比較して、係数Ｒだけ低減され得る。ＦＥＣ及びビットインタリーブの後、データはスロットに分割され、スロットに適応するように指定されたビットの各グループは、データ写像のために用いられ得る通常のスロット順序に続いてＲ個の連続したスロットを形成するためにＲ回繰り返され得る。実際のコンストレーションデータは、サブキャリアのランダマイズにより、様々であることがある。
【００２９】
図３は、スロット反復符号化のための方法３００の例を示している。方法３００に従って、インタリーブは、各符号化ブロックで実行され得る（３０２）。インタリーブデータは、スロットに分割され得る（３０４）。スロットは、［ｓｉ（１）、ｓｉ（２）、ｓｉ（３）、・・・、ｓｉ（ＮＺ）］として表され得る。ｓｉ（ｚ）は、ｚ番目のスロットにおいて、インタリーブされたデータを表し、ｚ＝１、２、・・・、Ｎｚである。
【００３０】
ＮＳという用語は、反復符号化されたデータを含む割り当てられたスロットの数に言及し、ＮＺという用語は、反復符号化される前の割り当てられたスロットの数に言及する。ＮＳ及びＮＺの関係は、ＮＳ＝Ｒ×ＮＺまたはＮＺ＝ＮＳ／Ｒとして表され得る。Ｒは、繰り返し係数である。ＩＥＥＥ８０２．１６において、Ｒ＝１、２、４、または６である。
【００３１】
スロット反復は、Ｒ回実行され得る（３０６）。例えば、Ｒ＝２である場合、オリジナル信号、及びオリジナル信号と同様の一つの追加の信号が送信され、これらの信号は異なるスロットに送信され得る。
【００３２】
以下のスロット反復において、信号は（１）に表され得る。
【数１】
2011514754.tif 000003
【００３３】
（１）において、用語ｓｉ（）は、反復３０６が実行される前のスロットとして言及され、用語ｓＳ（）は、反復３０６が実行された後のスロットとして言及される。
【００３４】
コンステレーション写像は、スロット反復３０６の後に実行され得る（３０８）。あるいは、コンステレーション写像は、スロット反復３０６ａに先立って実行されても良い（３０８ａ）。そして、変調（すなわち、適切なサブチャネル及びサブキャリア上にデータを写像すること）３１０及びサブキャリアのランダマイズ３１２が実行され得る。
【００３５】
図４Ａ及び４Ｂは、ＯＦＤＭＡシステムにおいて、繰り返された信号のダイバーシティ合成（diversity combining）のためのシステム４００を示している。システム４００は、送信器４０２及び受信器４０４を含んでいる。送信器４０２は、基地局１０４内に実装され、受信器４０４は、ユーザー端末１０６内に実装され得る。代替的に、送信器４０２は、ユーザー端末１０６内に実装され、受信器４０４は、基地局１０４内に実装されても良い。
【００３６】
最初に図４Ａを参照する。送信器４０２は、アンテナ４０６と共に示され、受信器４０４は、ＮＣ個のアンテナ４０８（１）・・・４０８（ＮＣ）と共に示されている。アンテナ４０８（１）・・・４０８（ＮＣ）は、受信器アンテナ・ダイバーシティを達成する目的で提供され得る。ＮＣ個の異なる通信チャネルｈ１・・・ｈＮｃは、送信器４０２のアンテナ４０６及び受信器４０４のアンテナ４０８（１）・・・４０８（ＮＣ）間に存在し得る。
【００３７】
送信器４０２は、受信器４０４に信号を送信する目的でＯＦＤＭＡ技術を使用し得る。従って、受信器４０４によって受信される信号は、ＯＦＤＭＡ信号として言及され得る。
【００３８】
複数のアンテナ４０８（１）・・・４０８（ＮＣ）が受信器４０４（示すように）によって用いられた場合、及び送信器４０２が反復ダイバーシティの目的で反復符号化を実行する場合、それぞれのアンテナ４０８（１）・・・４０８（ＮＣ）は、Ｒ個の繰り返されるＯＦＤＭＡ信号を受信し得る。Ｒは、繰り返し係数である。言い換えると、Ｒ個の繰り返されるＯＦＤＭＡ信号のＮＣ個のセットは、受信器４０４によって受信され得る。
【００３９】
受信器４０４は、受信されたＯＦＤＭＡ信号に関してＦＦＴ演算を実行するように構成された高速フーリエ変換（ＦＦＴ）構成要素４１２を含み得る。ＮｆｆｔポイントＦＦＴ演算は、各通信チャネルｈに関して実行され、その結果、周波数領域ＯＦＤＭＡ信号Ｒｆｆｔ（ｃ、ｎ）４１０ａを得る。用語ｃは、通信チャネル（ｃ＝１、２、・・・・ＮＣ）のためのインデックスであり、用語ｎは、ＦＦＴ（ｎ＝１、２、・・・Ｎｆｆｔ）のためのインデックスである。
【００４０】
受信器４０４は、周波数領域ＯＦＤＭＡ信号Ｒｆｆｔ（ｃ、ｎ）４１０ａに関してサブキャリアのデランダマイズ（derandomization）を実行して、デランダマイズされたＯＦＤＭＡ信号Ｒｓｄｒ（ｃ、ｎ）４１０ｂを得るように構成され得るサブキャリア・デランダマイザ（subcarrier derandomizer）４１４を含み得る。サブキャリアのデランダマイズは、有用なサブキャリア全てに対して実行され得る。
【００４１】
受信器４０４はまた、Ｒｓｄｒ（ｃ、ｎ）４１０ｂを用いてチャネル推定を実行し、チャネル推定Ｈｐ（ｃ、ｎ、ｉ）４１８ａを得るように構成され得るチャネル推定器４１６を含み得る。用語ｉは、ＯＦＤＭＡシンボル（ｉ＝１、２、・・・Ｎｉ）のためのインデックスである。チャネル推定は、可能なチャネル、サブキャリア、シンボルの全てに対して実行され得る。
【００４２】
受信器４０４はまた、第１及び第２のサブキャリア・デアロケータ（subcarrier deallocator）４２０ａ、４２０ｂを含み得る。第１のサブキャリア・デアロケータ４２０ａは、デランダマイズされたＯＦＤＭＡ信号Ｒｓｄｒ（ｃ、ｎ）４１０ｂに関してサブキャリアのデアロケートを実行し、デアロケートされたＯＦＤＭＡ信号Ｒｓ（ｃ、ｓ、ｋ）４１０ｃを得るように構成され得る。用語ｓはｓ＝１、２、・・・、Ｎｓであり、ここでｋ＝１、２、・・・、Ｎｓｃであり、Ｎｓｃは、スロット当たりのサブキャリアの数である。第２のサブキャリア・デアロケータ４２０ｂは、チャネル推定Ｈｐ（ｃ、ｎ、ｉ）４１８ａに関してサブキャリアのデアロケートを実行して、デアロケートされたチャネル推定Ｈｓ（ｃ、ｓ、ｋ）４１８ｂを得るように構成され得る。
【００４３】
サブキャリアのデアロケートは、サブキャリアのアロケーションの目的で送信器４０２内で用いられる同じ並べ替えスキームを用いて実行され得る。サブキャリアのデアロケートは、対応するサブキャリアを抽出すること、及びサブキャリアをスロットの基本フォーマット内に整えることとを含み得る。
【００４４】
サブキャリアのデアロケートの後、反復ダイバーシティ等化（repetition diversity equalization）及び合成（combining）と、受信器アンテナ・ダイバーシティ等化及び合成とが、デアロケートされたＯＦＤＭＡ信号Ｒｓ（ｃ、ｓ、ｋ）４１０ｃに関連して実行され得る。より具体的には、反復ダイバーシティの異なるソース（すなわち、繰り返されるＯＦＤＭＡ信号）に関連するデアロケートされたＯＦＤＭＡ信号Ｒｓ（ｃ、ｓ、ｋ）４１０ｃの部分が、等化され、合成され得る。加えて、受信器アンテナ・ダイバーシティの異なるソース（すなわち、異なるアンテナ４０８（１）・・・４０８（ＮＣ））に関連するデアロケートされたＯＦＤＭＡ信号Ｒｓ（ｃ、ｓ、ｋ）４１０ｃの部分が、等化され、合成され得る。
【００４５】
反復ダイバーシティ等化を実行し、デアロケートされたＯＦＤＭＡ信号Ｒｓ（ｃ、ｓ、ｋ）４１０ｃに関して合成するための、また受信器アンテナ・ダイバーシティ等化を実行し、デアロケートされたＯＦＤＭＡ信号Ｒｓ（ｃ、ｓ、ｋ）４１０ｃに関して合成するための、イコライザ及び合成器（combiner）４２２が示されている。等化されたＯＦＤＭＡ信号Ｒｅ（ｚ、ｋ）４１０ｄはイコライザ及び合成器４２２の出力として示されている。
【００４６】
等化及び合成は、最大比合成（ＭＲＣ）スキームに基づいて実行され得る。ＭＲＣスキームは、デアロケートされたチャネル推定ＨＳ（ｃ、ｓ、ｋ）４１８ｂに依存し得る。例えば、ＭＲＣに基づく等化及び合成は、式（２）に基づいて実行され得る。
【数２】
2011514754.tif 000004
【００４７】
反復ダイバーシティ合成及び受信器アンテナ・ダイバーシティ合成はまた、チャネルステータス情報（ＣＳＩ）を推定するために、デアロケートされたチャネル推定Ｈｓ（ｃ，ｓ，ｋ）４１８ｂに関して実行され得る。より具体的には、反復ダイバーシティの異なるソース（すなわち、繰り返されるＯＦＤＭＡ信号）に関連する、デアロケートされたチャネル推定Ｈｓ（ｃ，ｓ，ｋ）４１８ｂの部分が、合成され得る。加えて、受信器アンテナ・ダイバーシティの異なるソース（すなわち、異なるアンテナ４０８（１）・・・４０８（ＮＣ））に関連する、デアロケートされたチャネル推定Ｈｓ（ｃ，ｓ，ｋ）４１８ｂの部分が、合成され得る。
【００４８】
デアロケートされたチャネル推定ＨＳ（ｃ、ｓ、ｋ）４１８ｂに関する反復ダイバーシティ合成を実行するための、またデアロケートされたチャネル推定ＨＳ（ｃ、ｓ、ｋ）４１８ｂに関する受信器アンテナ・ダイバーシティ合成を実行するためのＣＳＩエスティメータ及び合成器４２４が示されている。ＣＳＩ推定Ｈｅ（ｚ、ｋ）４１８ｃは、ＣＳＩエスティメータ及び合成器４２４の出力として示されている。ＣＳＩ推定及び合成は、式（３）に従って実行され得る。
【数３】
2011514754.tif 000005
【００４９】
等化及び合成と、ＣＳＩ推定及び合成に引き続いて、符号化ブロックが構成され得る。第１の符号化ブロック構成要素（coding block construction component）４２６ａは、等化されたＯＦＤＭＡ信号Ｒｅ（ｚ，ｋ）４１０ｄからデータ符号化ブロックＲｃｂ（ｂ）４１０ｅを構成するように構成され得る。データ符号化ブロックＲｃｂ（ｂ）４１０ｅの結果は、式（４）として表され得る。
【数４】
2011514754.tif 000006
【００５０】
式（４）において、ｂ＝１、２、・・・、Ｎｂであり、ここでＮｂは、符号化ブロックについて変調されたシンボルの数であり、Ｎｂ＝ＮＺ×ＮＳＣである。
【００５１】
第２の符号化ブロック構成要素４２６ｂは、ＣＳＩ推定Ｈｅ（ｚ，ｋ）４１８ｃからチャネル推定符号化ブロックを構成するように構成され得る。チャネル推定符号化ブロックＨｃｓｉ（ｂ）４１８ｄの結果は、式（５）として表され得る。
【数５】
2011514754.tif 000007
【００５２】
受信器４０４は、ソフト・デマップ（soft demapping）、スケーリング、ＣＳＩウェイティング（weighting）、及び量子化を実行するように構成された構成要素４２８を含み得る。Ｒｃｂ（ｂ）４１０ｅ及びＨｃｓｉ（ｂ）４１８ｄは、構成要素４２８に入力として提供されることが示されている。ソフト・デマップ、スケーリング、ＣＳＩウェイティング、及び量子化の結果は、ＯＦＤＭＡ信号Ｒｄ（ｘ）４１０ｆにデマップされる。ここでｘ＝１、２、・・・、Ｎｘであり、Ｎｘ＝Ｎｂ×Ｎｍｏｄであり、そして、Ｎｍｏｄは変調順序である。受信器４０４はまた、デマップされたＯＦＤＭＡ信号ＯＦＤＭＡ信号Ｒｄ（ｘ）４１０ｆに関してチャネルデコードを実行するように構成され得るチャネルデコーダ４３０を含み得る。
【００５３】
上で示したように、イコライザ及び合成器４２２は、反復ダイバーシティの異なるソース（すなわち、繰り返されるＯＦＤＭＡ信号）に関するＲｓ（ｃ、ｓ、ｋ）４１０ｃの部分を合成するように構成され得る。イコライザ及び合成器４２２は、受信器ダイバーシティの異なるソース（すなわち、異なるアンテナ４０８（１）・・・４０８（ＮＣ））に関するＲｓ（ｃ、ｓ、ｋ）４１０ｃの部分を合成するように構成され得る。図５Ａ及び図５Ｂは、反復ダイバーシティ合成及び受信器アンテナ・ダイバーシティ合成を生じ得る方法の例を示している。
【００５４】
先ず、図５Ａを参照する。受信器４０４の第１のアンテナ４０８（１）によって受信され得る繰り返されるＯＦＤＭＡ信号５１０（１）（１）・・・５１０（１）（Ｒ）の第１のセット５１２（１）が示されている。図５Ａはまた、受信器４０４の第ＮＣのアンテナ４０８（ＮＣ）によって受信され得る繰り返されるＯＦＤＭＡ信号５１０（ＮＣ）（１）・・・５１０（ＮＣ）（Ｒ）の第ＮＣのセット５１２（ＮＣ）を示している。
【００５５】
図５Ａはまた、イコライザ及び合成器５２２の一部であり得る反復ダイバーシティ・イコライザ及び合成器５２４を示している。反復ダイバーシティ・イコライザ及び合成器５２４は、第１のアンテナ４０８（１）によって受信される繰り返されるＯＦＤＭＡ信号５１０（１）（１）・・・５１０（１）（Ｒ）を合成して、第１の合成された反復ＯＦＤＭＡ信号５１０（１）になるように構成され得る。反復ダイバーシティコライザ及び合成器５２４は、第ＮＣのアンテナ４０８（ＮＣ）によって受信される繰り返されるＯＦＤＭＡ信号５１０（ＮＣ）（１）・・・５１０（ＮＣ）（Ｒ）を合成して、第ＮＣの反復の合成されたＯＦＤＭＡ信号５１０（ＮＣ）になるように構成され得る。
【００５６】
繰り返されるＯＦＤＭＡ信号５１０（１）（１）・・・５１０（１）（Ｒ）は、チャネル推定情報５１８に依存し得る最大比合成（ＭＲＣ）スキームに基づいて合成され得る。チャネル推定情報５１８は、入力として反復ダイバーシティ・合成器５２４に提供されることが示されている。
【００５７】
図５Ｂを参照する。イコライザ及び合成器５２２は、受信器アンテナ・ダイバーシティ・イコライザ及び合成器５２６とともに示されている。受信器アンテナ・ダイバーシティ・イコライザ及び合成器５２６は、合成された反復ＯＦＤＭＡ信号５１０（１）・・・５１０（ＮＣ）を合成して、最後の合成されたＯＦＤＭＡ信号５１０を得るように構成され得る。
【００５８】
合成された反復ＯＦＤＭＡ信号５１０（１）・・・５１０（ＮＣ）は、チャネル推定情報５１８に依存し得る最大比合成（ＭＲＣ）スキームに基づいて合成され得る。チャネル推定情報５１８は、入力として受信器アンテナ・ダイバーシティ合成器５２６に提供されることが示されている。
【００５９】
図５Ａ及び５Ｂの例において、反復ダイバーシティ合成は、受信器アンテナ・ダイバーシティ合成の前に生じることが示されている。代替的に、反復ダイバーシティ合成は、受信器アンテナ・ダイバーシティ合成の後に生じても良い。さらに代替的に、反復ダイバーシティ合成は、実質的に、受信器アンテナ・ダイバーシティ合成と同時に生じ得る。
【００６０】
図６はＯＦＤＭＡシステムにおける繰り返される信号のダイバーシティ合成の方法６００を示している。方法６００に基づき、Ｒ回繰り返されるＯＦＤＭＡ信号のＮＣ個のセットは、受信され得る（６０２）。
【００６１】
高速フーリエ変換（ＦＦＴ）演算は、受信されたＯＦＤＭＡ信号に関して実行され得る（６０４）。より具体的には、Ｎｆｆｔポイント演算は、各通信チャネルｈに関して実行され、その結果、周波数領域ＯＦＤＭＡ信号Ｒｆｆｔ（ｃ、ｎ）４１０ａを得る。
【００６２】
サブキャリアのデランダマイズは、周波数領域ＯＦＤＭＡ信号Ｒｆｆｔ（ｃ、ｎ）４１０ａに関して実行され、その結果、デランダマイズされたＯＦＤＭＡ信号Ｒｓｄｒ（ｃ、ｎ）４１０ｂを得る（６０６）。デランダマイズされたＯＦＤＭＡ信号Ｒｓｄｒ（ｃ、ｎ）４１０ｂは、チャネル推定を実行し、その結果、チャネル推定Ｈｐ（ｃ、ｎ、ｉ）４１８ａを得る（６０８）。
【００６３】
サブキャリアのデアロケーションは、デランダマイズされたＯＦＤＭＡ信号Ｒｓｄｒ（ｃ、ｎ）４１０ｂに関して実行され、その結果、デアロケートされたＯＦＤＭＡ信号Ｒｓ（ｃ，ｓ，ｋ）４１０ｃを得る（６１０）。サブキャリアのデアロケーションは、チャネル推定Ｈｐ（ｃ、ｎ、ｉ）４１８ａに関して実行され、その結果、デアロケートされたチャネル推定Ｈｓ（ｃ、ｓ、ｋ）４１８ｂを得る（６１２）。
【００６４】
サブキャリアのデアロケーションの後、反復ダイバーシティ等化及び合成と、受信器アンテナ・ダイバーシティ等化及び合成は、デアロケートされたＯＦＤＭＡ信号Ｒｓ（ｃ、ｓ、ｋ）４１０ｃに関して実行され得る。より具体的には、反復ダイバーシティの異なるソース（すなわち、繰り返されるＯＦＤＭＡ信号）に関してデアロケートされたＯＦＤＭＡ信号Ｒｓ（ｃ、ｓ、ｋ）４１０ｃの部分が、等化及び合成され得る。加えて、受信器アンテナ・ダイバーシティの異なるソース（すなわち、異なるアンテナ４０８（１）・・・４０８（ＮＣ））に関してデアロケートされたＯＦＤＭＡ信号Ｒｓ（ｃ、ｓ、ｋ）４１０ｃの部分が、等化及び合成され得る。反復ダイバーシティ及び受信器アンテナ・ダイバーシティのための等化及び合成は、デアロケートされたチャネル推定Ｈｓ（ｃ、ｓ、ｋ）４１８ｂに基づき得る最大比合成（ＭＲＣ）スキームに基づいて実行され得る。例えば、ＭＲＣに基づいた等化及び合成は、上述した式（２）に基づいて実行され得る。
【００６５】
反復ダイバーシティ合成及び受信器アンテナ・ダイバーシティ合成は、チャネルステータス情報（ＣＳＩ）を推定するために、デアロケートされたチャネル推定Ｈｓ（ｃ、ｓ、ｋ）４１８ｂに関して実行され得る（６１６）。より具体的には、反復ダイバーシティ異なるソース（すなわち、繰り返されるＯＦＤＮＡ信号）に関するデアロケートされたチャネル推定Ｈｓ（ｃ、ｓ、ｋ）４１８ｂの部分が、合成され得る。加えて、受信器アンテナ・ダイバーシティ異なるソース（すなわち、異なるアンテナ４０８（１）・・・４０８（ＮＣ））に関するデアロケートされたチャネル推定Ｈｓ（ｃ、ｓ、ｋ）４１８ｂの部分が、合成され得る。
【００６６】
データ符号化ブロックＲｃｂ（ｂ）４１０ｅは、等化されたＯＦＤＭＡ信号Ｒｅ（ｚ、ｋ）４１０ｄから構成され得る（６１８）。チャネル推定符号化ブロックＨｃｓｉ（ｂ）４１８ｄは、ＣＳＩ推定Ｈｅ（ｚ、ｋ）から構成され得る（６２０）。ソフト・デマップ、スケーリング、ＣＳＩウェイティング、及び量子化は、実行され、その結果、デマップされたＯＦＤＭＡ信号Ｒｄ（ｘ）４１０ｆを得る（６２２）。チャネル符号化は、デマップされたＯＦＤＭＡ信号Ｒｄ（ｘ）４１０ｆに関して実行され得る（６２４）。
【００６７】
上述した図６の方法６００は、図７に示す手段及び機能のブロック７００に関する種々のハードウェア及び／またはソフトウェアの構成要素及び／またはモジュールによって実行され得る。言い換えると、図６に示すブロック６０２〜６２４は、図７に示す手段及び機能のブロック７０２〜７２４に関する。
【００６８】
図８は、ワイヤレスデバイス８０２において利用され得る種々の構成要素を示している。ワイヤレスデバイス８０２は、本明細書に記載した種々の方法を実施するように構成され得るデバイスの例である。ワイヤレスデバイス８０２は、基地局１０４または遠隔局１０６であり得る。
【００６９】
ワイヤレスデバイス８０２は、ワイヤレスデバイス８０２の動作を制御するプロセッサ８０４を含み得る。プロセッサ８０４は、中央処理装置（ＣＰＵ）として言及され得る。メモリ８０６は、読み出し専用メモリ（ＲＯＭ）及びランダムアクセスメモリ（ＲＡＭ）を含み、プロセッサ８０４への命令及びデータを提供し得る。メモリ８０６の一部は、不揮発性ランダムアクセスメモリ（ＮＶＲＡＭ）を含み得る。プロセッサ８０４は、典型的に、メモリ８０６内に記憶されたプログラムの命令に基づいて、論理演算及び算術演算を実行する。メモリ８０６内の命令は、本明細書に記載の方法を実施するために実行でき得る。
【００７０】
ワイヤレスデバイス８０２は、ワイヤレスデバイス８０２及び遠隔地間のデータの伝送及びデータの反復を許可する送信器８１０及び受信器８１２を含み得る外被（housing）８０８を含み得る。送信器８１０及び受信器８１２はトランシーバ８１４に合成され得る。アンテナ８１６は、外被８０８に取り付けられ、電気的にトランシーバ８１４に合成され得るワイヤレスデバイス８０２は、複数の送信器、複数の受信器、複数のトランシーバ及び／または複数のアンテナを含み得る（図示せず）。
【００７１】
ワイヤレスデバイス８０２は、トランシーバ８１４によって受信された信号のレベルの検出及び量を測り得る信号デコーダ８１８を含み得る。信号検出器８１８は、トータルエネルギー、疑似ノイズ（ＰＮ）当りのパイロットエネルギーチップ、電力スペクトル密度、及び他の信号のような信号を検出し得る。ワイヤレスデバイス８０２は、処理信号内で用いるためにデジタルシグナルプロセサ（ＤＳＰ）８２０を含み得る。
【００７２】
ワイヤレスデバイス８０２の種々の構成要素は、電力バス、制御信号バス、及び状態信号バスに加え、データバスを含み得るバスシステム８２２によって共に合成され得る。しかしながら、明瞭さのため、種々のバスは図８においてバスシステム８２２として示されている。
【００７３】
本明細書で用いた用語「決定すること」は、広い種々の処理を含み、そのため、「決定すること」は、計算すること、演算すること、処理すること、導くこと、調べること、検査すること（例えば、表、データベース、または他のデータ構造を調べること）、確認することなど含むことができる。「決定すること」は、受信すること（例えば、情報を受信すること）、アクセスすること（例えば、メモリ内でデータにアクセスすること）なども含むことができる。「決定すること」は、分解すること、選択すること、選ぶこと、規定すること等を含むことができる。
【００７４】
「基づく」という言い回しは、明白に述べられていない場合、さもなくば、「だけに基づく」とういう意味ではない。言い換えると、「基づく」という言い回しは、「だけに基づく」及び「少なくとも基づく」の両方を述べている。
【００７５】
本開示と関係した記載の種々の実例となる論理的なブロック、モジュール、及び回路は、本明細書記載の機能を実行するように設計された、汎用プロセッサ、デジタルシグナルプロセサ（ＤＳＰ）、特定用途向け集積回路（ＡＳＩＣ）、フィールドプログラマブルゲートアレイ（ＦＰＧＡ）、または、他のプログラム可能な論理デバイス、ディスクリートゲートまたはトランジスタ論理、ディスクリートハードウェア構成要素、またはこれらの組み合わせによって実施または実行され得る。汎用プロセッサは、マイクロプロセッサであり得るが、代替的には、プロセッサは、市販のプロセッサ、コントローラ、マイクロコントローラ、またはステートマシンであり得る。プロセッサは、例えば、ＤＳＰ及びマイクロプロセッサ、複数のマイクロプロセッサ、ＤＳＰコアとつないだ一つ以上のマイクロプロセッサ、または他の構成等の組み合わせである、演算デバイスの組み合わせとして実施され得る。
【００７６】
本開示に関連して記載された方法またはアルゴリズムのステップは、ハードウェア、プロセッサによって動作するソフトウェアモジュール、または二つの組み合わせにおいて、直接的に具体化され得る。ソフトウェアモジュールは、知られた技術である記憶メディアの形態内に存在し得る。記憶メディアのいくつかの例は、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、等を含み得る。ソフトウェアモジュールは、単一の命令または複数の命令を含み、異なるプログラム間、及び複数の記憶メディアを超えて、いくつかの異なるコードのセグメントを配布し得る。記憶メディアは、記憶メディアｋら情報を読み出すことができ、記憶メディアに情報を書き込むことができるようなプロセッサに合成され得る。代替的には、記憶メディアは、プロセッサに集積され得る。
【００７７】
本明細書に記載された方法は、記載された方法を達成するための一つかそれ以上のステップまたは動作を含んでいる。方法ステップ及び／または動作は、特許請求の範囲から逸脱せずに、他方に置き換えられ得る。言い換えると、具体的なステップまたは動作の命令が明記されない場合、具体的なステップ及び／または動作の命令及び／または使用は、特許請求の範囲から逸脱せずに変形され得る。
【００７８】
記載された機能は、ハードウェア、ソフトウェア、ファームウェア、かたはそれらの組み合わせにおいて実施され得る。ソフトウェアにおいて実施される場合、機能が、コンピュータ読み取り可能なメディア上で一つまたはそれ以上の命令として記憶され得る。コンピュータ読み取り可能なメディアは、コンピュータによってアクセスされることができる市販されているメディアであり得る。一例として、そして限定しない例として、コンピュータ読み取り可能なメディアは、ＲＡＭ、ＲＯＭ、ＥＥＰＲＯＭ、ＣＤ−ＲＯＭ、または他の光学ディスク記憶、磁気ディスク記憶、または他の磁気記憶装置、または命令構造の形態またはデータ構造の形態を含み、コンピュータによってアクセスされることができる。本明細書に用いたように、ディスク（disk）及びディスク（disc）は、コンパクトディスク（ＣＤ）、レーザーディスク（登録商標）、光学ディスク、デジタル多用途ディスク（ＤＶＤ）、フロッピー（登録商標）ディスク、及びブルーレイ（登録商標）ディスク、を含み、ディスク（disk）は大抵磁気的にデータを再生し、ディスク（disc）は光学的またはレーザーでデータを再生する。
【００７９】
ソフトウェアまたは命令は、伝送メディア上に送信され得る。例えば、ソフトウェアはウェブサイト、サーバー、または同軸ケーブル、光ファイバケーブル、ツイストペア、デジタル加入者線（ＤＳＬ）、または、赤外線、無線、マイクロ波のようなワイヤレス技術を用いた他の遠隔ソースから送信される場合、同軸ケーブル、光ファイバケーブル、ツイストペア、ＤＳＬ、または赤外線、無線、及びマイクロ波のようなワイヤレス技術は、伝送メディアの定義に含まれる。
【００８０】
さらに、モジュール及び／または、取り込まれることができ、及び／または、そうでなくてもモバイルデバイス及び／または適用できる基地局によって達成される図６、７に図示されたような、本明細書に記載の方法及び技術を実行するための他の適当な手段であることが認識されるべきである。例えば、そのようなデバイスは、本明細書に記載の方法を実行するための手段の転送を容易にするためにサーバーに結合されることができる。代替的に、本明細書に記載の種々の方法は、記憶手段（例えば、ランダムアクセスメモリ（ＲＡＭ）、読み出し専用メモリ（ＲＯＭ）、コンパクトディスク（ＣＤ）またはフロッピーディスク等の物理的記憶メディア）を介して提供されるこができ、モバイルデバイス及び／または基地局は、記憶手段をデバイスに結合し、提供する種々の方法得ることができる。さらに、本明細書記載の方法及び技術をデバイスに提供するための他の適当な技術は、利用されることができる。
【００８１】
特許請求の範囲は、上述で説明した明確な構成及び構成要素に限定されるものではないと理解される。種々の変形例、変化及び変形は、特許請求の範囲を逸脱しない本明細書記載のシステム、方法、及び装置の配置、動作、及び詳細の中で行われ得る。
【図１】
2011514754.tif 000016
【図２】
2011514754.tif 000017
【図３】
2011514754.tif 000018
【図４Ａ】
2011514754.tif 000019
【図４Ｂ】
2011514754.tif 000020
【図５Ａ】
2011514754.tif 000021
【図５Ｂ】
2011514754.tif 000022
【図６】
2011514754.tif 000023
【図７】
2011514754.tif 000024
【図８】
2011514754.tif 000025
【国際調査報告】
2011514754.tif 000026
2011514754.tif 000027
2011514754.tif 000028